(57)【要約】【課題】  洗濯運転の内容を容易に設定することができる洗濯機を提供する。【解決手段】  洗濯機は、洗濯すべき洗濯物の状態を検出するための布量センサ６１、乾燥センサ６２と、洗濯物を洗濯するための洗濯運転の程度を設定するための設定部２と、設定部２によって設定された洗濯運転の程度と、布量センサ６１、乾燥センサ６２によって検出された洗濯物の状態とに基づいて洗濯運転を実行するために設けられた制御部３とを具備する。【選択図】  図３
2005034413.tif 000002
【特許請求の範囲】
【請求項１】
洗濯すべき洗濯物の状態を検出するための状態検出手段と、
前記洗濯物を洗濯するための洗濯運転の程度を設定するための設定手段と、
前記設定手段によって設定された前記洗濯運転の程度と、前記状態検出手段によって検出された前記洗濯物の状態とに基づいて前記洗濯運転を実行するために設けられた制御手段とを具備することを特徴とする洗濯機。
【請求項２】
前記状態検出手段は、前記洗濯物の重量を検出する布量センサを含んでいる、請求項１記載の洗濯機。
【請求項３】
前記状態検出手段は、前記洗濯物の乾燥具合を検出する乾燥センサを含んでいる、請求項１記載の洗濯機。
【請求項４】
前記洗濯物は、衣類を含んでいる、請求項１記載の洗濯機。
【請求項５】
前記設定手段は、前記洗濯運転のための洗い時間の長さの程度を設定し、
前記設定手段によって設定される前記洗い時間の長さの程度は、標準的な洗い時間を示す標準設定と、前記標準的な洗い時間よりも長めの洗い時間を示す長め設定と、前記標準的な洗い時間よりも短めの洗い時間を示す短め設定とを含んでいる、請求項１記載の洗濯機。
【請求項６】
前記状態検出手段は、前記洗濯物の重量を検出する布量センサを含んでおり、
前記制御手段は、前記布量センサによって検出された前記洗濯物の重量と、前記設定手段によって設定された前記洗い時間の前記標準設定と前記長め設定と前記短め設定とのいずれかとに基づいた洗い時間の値に従って前記洗濯運転を実行する、請求項５記載の洗濯機。
【請求項７】
前記設定手段は、前記洗濯運転のための水量の程度を設定し、
前記設定手段によって設定される前記水量の程度は、標準的な水量を示す標準設定と、前記標準的な水量よりもちょっと多めの水量を示すちょっと多め設定と、前記標準的な水量よりも多めの水量を示す多め設定とを含んでいる、請求項１記載の洗濯機。
【請求項８】
前記状態検出手段は、前記洗濯物の重量を検出する布量センサを含んでおり、
前記制御手段は、前記布量センサによって検出された前記洗濯物の重量と、前記設定手段によって設定された前記水量の程度の前記標準設定と前記ちょっと多め設定と前記多め設定とのいずれかとに基づいた水量の値に従って前記洗濯運転を実行する、請求項７記載の洗濯機。
【請求項９】
前記設定手段は、前記洗濯運転のための水流の程度を設定し、
前記設定手段によって設定される前記水流の程度は、標準的な水流を示す標準設定と、前記標準的な水流よりも強めの水流を示す強め設定と、前記標準的な水流よりも弱めの水量を示す弱め設定とを含んでいる、請求項１記載の洗濯機。
【請求項１０】
前記状態検出手段は、前記洗濯物の重量を検出する布量センサを含んでおり、
前記制御手段は、前記布量センサによって検出された前記洗濯物の重量と、前記設定手段によって設定された前記水流の前記標準設定と前記強め設定と前記弱め設定とのいずれかとに基づいた水流の値に従って前記洗濯運転を実行する、請求項９記載の洗濯機。
【請求項１１】
前記設定手段は、前記洗濯運転のためのすすぎの回数の程度を設定し、
前記設定手段によって設定される前記すすぎの回数の程度は、標準的なすすぎの回数を示す標準設定と、前記標準的すすぎの回数よりも多めの回数を示す多め設定と、前記標準的なすすぎの回数よりも少なめの回数を示す少なめ設定とを含んでいる、請求項１記載の洗濯機。
【請求項１２】
前記状態検出手段は、前記洗濯物の重量を検出する布量センサを含んでおり、
前記制御手段は、前記布量センサによって検出された前記洗濯物の重量と、前記設定手段によって設定された前記すすぎの回数の前記標準設定と前記多め設定と前記少なめ設定とのいずれかとに基づいたすすぎの回数に従って前記洗濯運転を実行する、請求項１１記載の洗濯機。
【請求項１３】
前記設定手段は、前記洗濯運転のための脱水時間の長さの程度を設定し、
前記設定手段によって設定される前記脱水時間の長さの程度は、標準的な脱水時間を示す標準設定と、前記標準的な脱水時間よりも長めの脱水時間を示す長め設定と、前記標準的な脱水時間よりも短めの脱水時間を示す短め設定とを含んでいる、請求項１記載の洗濯機。
【請求項１４】
前記状態検出手段は、前記洗濯物の重量を検出する布量センサを含んでおり、
前記制御手段は、前記布量センサによって検出された前記洗濯物の重量と、前記設定手段によって設定された前記脱水時間の前記標準設定と前記長め設定と前記短め設定とのいずれかとに基づいた脱水時間の値に従って前記洗濯運転を実行する、請求項１３記載の洗濯機。
【請求項１５】
前記設定手段は、前記洗濯運転のための乾燥時間の長さの程度を設定し、
前記設定手段によって設定される前記乾燥時間の長さの程度は、標準的な乾燥時間を示す標準設定と、前記標準的な乾燥時間よりも長めの乾燥時間を示す長め設定と、前記標準的な乾燥時間よりも短めの乾燥時間を示す短め設定とを含んでいる、請求項１記載の洗濯機。
【請求項１６】
前記状態検出手段は、前記洗濯物の乾燥具合を検出する乾燥センサを含んでを含んでおり、
前記制御手段は、前記乾燥センサによって検出された前記洗濯物の乾燥具合と、前記設定手段によって設定された前記乾燥時間の前記標準設定と前記長め設定と前記短め設定とのいずれかとに基づいた乾燥時間の値に従って前記洗濯運転を実行する、請求項１５記載の洗濯機。
【請求項１７】
前記設定手段は、タッチパネルによって構成されている、請求項１記載の洗濯機。
【請求項１８】
洗濯機と前記洗濯機の運転内容を設定するための端末とを具備する洗濯機システムであって、
前記端末は、前記洗濯機が洗濯物を洗濯するための洗濯運転の程度を設定するための設定手段と、
前記設定手段によって設定された前記洗濯運転の程度を示す情報を送信する送信手段とを含んでおり、
前記洗濯機は、前記洗濯物の状態を検出するための状態検出手段と、
前記端末に設けられた前記送信手段によって送信された前記洗濯運転の程度を示す情報を受信する受信手段と、
前記受信手段によって受信された前記洗濯運転の程度を示す情報と、前記状態検出手段によって検出された前記洗濯物の状態とに基づいて前記洗濯運転を実行するために設けられた制御手段とを具備することを特徴とする洗濯機システム。
【請求項１９】
前記端末に設けられた前記設定手段は、タッチパネルによって構成されている、請求項１８記載の洗濯機システム。
【請求項２０】
前記端末に設けられた前記送信手段と前記洗濯機に設けられた前記受信手段とを接続するネットワークをさらに具備する、請求項１８記載の洗濯機システム。
【請求項２１】
前記ネットワークは、無線によるネットワークである、請求項２０記載の洗濯機システム。
【請求項２２】
前記端末に設けられた前記送信手段と前記洗濯機に設けられた前記受信手段とは、前記洗濯運転の程度を示す情報をＥＣＨＯＮＥＴ規格に基づいて送受信する、請求項１８記載の洗濯機システム。
【発明の詳細な説明】
【技術分野】
【０００１】
本発明は、洗濯すべき洗濯物の状態を検出するための状態検出センサと、状態検出センサによって検出された洗濯物の状態とに基づいて洗濯運転を実行するために設けられた制御部とを具備する洗濯機および洗濯機システムに関する。
【背景技術】
【０００２】
図２６は従来の洗濯機９０の構成を示す側面断面図であり、図２７は従来の洗濯機９０の構成を示すブロック回路図であり、図２８は従来の洗濯機９０に設けられた操作部９８の外観を示す正面図である。
【０００３】
洗濯機９０は、略長方体形状をした外枠２５を備えている。外枠２５の内部には、略円筒形状をした水受け槽２１が設けられている。水受け槽２１は、吊り棒２４によって外枠２５に吊り下げられている。水受け槽２１には、略円筒形状をした洗濯兼脱水槽２２が内包されている。洗濯兼脱水槽２２の底部には、攪拌翼２３が垂直方向に沿った軸の回りに回転自在に設けられている。
【０００４】
水受け槽２１には、攪拌翼２３を回転させるためのモータ２７が設けられている。モータ２７は、直流ブラシレスモータによって構成されている。モータ２７と攪拌翼２３との間には、動力切換機構２６が設けられている。動力切換機構２６は、洗濯時にはモータ２７からの駆動力を減速して攪拌翼２３へ伝達し、脱水時にはモータ２７からの駆動力を１対１で攪拌翼２３へ伝達する。
【０００５】
水受け槽２１の上には、散水用の吐出部を形成するためのカバー体２８が設けられている。水受け槽２１の上方には、給水弁３１が設けられている。給水弁３１は、洗濯兼脱水槽２２内に水を給水するために設けられている。水受け槽２１の下方には、排水弁３２が設けられている。排水弁３２は、水受け槽２１内の洗濯水を排水するために設けられている。
【０００６】
水受け槽２１の下部には、接続部３０が設けられている。水受け槽２１は、水位検知器２９が設けられている。水位検知器２９は、水受け槽２１の水位を検知するために接続部３０における水圧を電気的な周波数に変換する。
【０００７】
モータ２７は、インバータ回路３７によって駆動される。インバータ回路３７は、６個のスイッチング素子３８Ａ〜３８Ｆを有している。各スイッチング素子３８Ａ〜３８Ｆは、パワートランジスタと逆導通ダイオードとによって構成される並列回路をそれぞれ有している。
【０００８】
洗濯機９０は、電源４０を有している。電源４０は、ダイオードブリッジ４１とチョークコイル４２と平滑用コンデンサ４３とによって構成される直流電源変換装置を介してインバータ回路３７へ電圧を供給する。電源４０はまた、図示しないポンプと給水弁３１と排水弁３２と動力変換機構２６とへ電圧を供給する。モータ２７には、３個の位置検出器３５が設けられている。各位置検出器３５は、モータ２７の回転位置を検出する。
【０００９】
洗濯機９０は、制御部３を備えている。制御部３には、回転制御部３４が設けられている。回転制御部３４は、各位置検出器３５によって検出されたモータ２７の回転位置と水位検知器２９によって検知された水受け槽２１の水位とに基づいて駆動回路３６を制御する。駆動回路３６は、回転制御部３４からの指示に基づいてインバータ回路３７を駆動する。
【００１０】
図示しないポンプと給水弁３１と排水弁３２と動力変換機構２６とは、負荷駆動部３３に接続されている。負荷駆動部３３は、制御部３からの指示に基づいて、図示しないポンプと給水弁３１と排水弁３２と動力変換機構２６とをそれぞれ駆動する。
【００１１】
洗濯機９０は、操作部９８を備えている。操作部９８には、複数の基本運転コースと特別運転コースとのいずれかを選択するための運転コース選択ボタン４Ｊと、複数の基本運転コースと特別運転コースとのそれぞれに対応する複数の運転コース選択ランプ４Ｄとが設けられている。各運転コース選択ランプ４Ｄは、ＬＥＤによって構成されている。基本運転コースには、例えば、「おまかせコース」と「お急ぎコース」と「おうちクリーニングコース」が含まれている。「おまかせコース」は、最も標準的な運転コースであって、例えば洗い時間が「９分」に設定されており、すすぎ回数が「注水２回」に設定されており、脱水時間が「７分」に設定されたコースである。「お急ぎコース」は、急いで洗濯するための基本運転コースであって、例えば洗い時間が「３分」に設定されており、すすぎ回数が「注水１回」に設定されており、脱水時間が「３分」に設定されている。「おうちクリーニングコース」は、家庭内の洗濯機においてクリーニングをするための基本運転コースであって、例えば洗い時間が「１２分」に設定されており、すすぎ回数が「ため２回」に設定されており、脱水時間が「４０秒」に設定されている。「特別運転コース」は、洗い運転における洗い時間とすすぎ運転におけるすすぎ回数と脱水運転における脱水時間とを任意に設定することができる。運転コース選択ランプ４Ｄは、「おまかせコース」と「お急ぎコース」と「おうちクリーニングコース」と「特別運転コース」ごとにそれぞれ設けられている。運転コース選択ボタン４Ｊを押すたびに「おまかせコース」、「お急ぎコース」、「おうちクリーニングコース」、「特別運転コース」と、この順番に運転コース選択ランプ４Ｄが切り替わって点灯してゆく。
【００１２】
操作部９８は、洗い運転における洗い時間とすすぎ運転におけるすすぎ回数と脱水運転における脱水時間とを入力するための入力部４と、入力部４に入力された洗い時間とすすぎ回数と脱水時間とを表示するための表示部５とを有している。入力部４は、洗い時間を設定するためのボタンと、すすぎ回数を設定するためのボタンと、脱水時間を設定するためのボタンとによって構成されている。
【００１３】
操作部９８は、特別運転コース設定部２を有している。特別運転コース設定部２は、最も標準的な運転コースである「おまかせコース」に予め規定された洗い時間とすすぎ回数と脱水時間とを、入力部４に入力された洗い時間とすすぎ回数と脱水時間とによってそれぞれ補正することによって、「特別運転コース」を設定する。
【００１４】
このように構成された洗濯機９０においては、運転コース選択ボタン４Ｊを押すことによって「特別運転コース」が選択されると、最も標準的な運転コースである「おまかせコース」に予め規定された洗い時間とすすぎ回数と脱水時間とが表示部５に表示される。そして、ユーザは、表示部５に表示された「おまかせコース」の洗い時間とすすぎ回数と脱水時間とを参照しながら、「おまかせコース」の洗い時間とすすぎ回数と脱水時間とを補正するように、所望の洗い時間とすすぎ回数と脱水時間とを入力部４を構成する各ボタンを押すことによって設定する。
【００１５】
次に、特別運転コース設定部２は、設定された所望の洗い時間とすすぎ回数と脱水時間とに基づいて、「おまかせコース」に予め規定された洗い時間とすすぎ回数と脱水時間とを補正することによって、特別運転コースを設定する。
【００１６】
その後、制御部３は、特別運転コース設定部２によって設定された特別運転コースに基づいて洗い運転とすすぎ運転と脱水運転とを実行するように、駆動回路３６と負荷駆動部３３とを制御する。
【特許文献１】特開２００２−１１９７８８号公報
【発明の開示】
【発明が解決しようとする課題】
【００１７】
しかしながら前述した従来の洗濯機９０の構成では、洗濯運転の内容を示す洗い時間、すすぎ回数および脱水時間等を具体的な数値によって設定しなければならない。洗い時間、すすぎ回数および脱水時間等の具体的な数値は、洗濯しようとする洗濯物の重量等の洗濯物の状態によって変化する。このため、洗濯運転の内容を設定することが煩わしいという問題がある。
【００１８】
本発明は、洗濯運転の内容を容易に設定することができる洗濯機および洗濯機システムを提供することにある。
【課題を解決するための手段】
【００１９】
本発明に係る洗濯機は、洗濯すべき洗濯物の状態を検出するための状態検出手段と、前記洗濯物を洗濯するための洗濯運転の程度を設定するための設定手段と、前記設定手段によって設定された前記洗濯運転の程度と、前記状態検出手段によって検出された前記洗濯物の状態とに基づいて前記洗濯運転を実行するために設けられた制御手段とを具備することを特徴とする。
【００２０】
本発明に係る洗濯機システムは、洗濯機と前記洗濯機の運転内容を設定するための端末とを具備する洗濯機システムであって、前記端末は、前記洗濯機が洗濯物を洗濯するための洗濯運転の程度を設定するための設定手段と、前記設定手段によって設定された前記洗濯運転の程度示す情報を送信する送信手段とを含んでおり、前記洗濯機は、前記洗濯物の状態を検出するための状態検出手段と、前記端末に設けられた前記送信手段によって送信された前記洗濯運転の程度を示す情報を受信する受信手段と、前記受信手段によって受信された前記洗濯運転の程度を示す情報と、前記状態検出手段によって検出された前記洗濯物の状態とに基づいて前記洗濯運転を実行するために設けられた制御手段とを具備することを特徴とする。
【発明の効果】
【００２１】
本発明によれば、洗濯運転の内容を容易に設定することができる洗濯機および洗濯機システムを提供することができる。
【発明を実施するための最良の形態】
【００２２】
本実施の形態に係る洗濯機においては、洗濯物を洗濯するための洗濯運転の程度を設定するための設定手段によって設定された洗濯運転の程度と、状態検出手段によって検出された洗濯物の状態とに基づいて洗濯運転が実行される。このため、洗濯物の状態に応じた程度の洗濯運転を容易に実行することができる。
【００２３】
この実施の形態では、前記状態検出手段は、前記洗濯物の重量を検出する布量センサを含んでいることが好ましい。
【００２４】
前記状態検出手段は、前記洗濯物の乾燥具合を検出する乾燥センサを含んでいることが好ましい。
【００２５】
前記洗濯物は、衣類を含んでいることが好ましい。
【００２６】
前記設定手段は、前記洗濯運転のための洗い時間の長さを設定し、前記設定手段によって設定される前記洗い時間の長さは、標準的な洗い時間を示す標準設定と、前記標準的な洗い時間よりも長めの洗い時間を示す長め設定と、前記標準的な洗い時間よりも短めの洗い時間を示す短め設定とを含んでいることが好ましい。
【００２７】
前記状態検出手段は、前記洗濯物の重量を検出する布量センサを含んでおり、前記制御手段は、前記布量センサによって検出された前記洗濯物の重量と、前記設定手段によって設定された前記洗い時間の前記標準設定と前記長め設定と前記短め設定とのいずれかとに基づいた洗い時間の値に従って前記洗濯運転を実行することが好ましい。
【００２８】
前記設定手段は、前記洗濯運転のための水量の程度を設定し、前記設定手段によって設定される前記水量の程度は、標準的な水量を示す標準設定と、前記標準的な水量よりもちょっと多めの水量を示すちょっと多め設定と、前記標準的な水量よりも多めの水量を示す多め設定とを含んでいることが好ましい。
【００２９】
前記状態検出手段は、前記洗濯物の重量を検出する布量センサを含んでおり、前記制御手段は、前記布量センサによって検出された前記洗濯物の重量と、前記設定手段によって設定された前記水量の前記標準設定と前記ちょっと多め設定と前記多め設定とのいずれかとに基づいた水量の値に従って前記洗濯運転を実行することが好ましい。
【００３０】
前記設定手段は、前記洗濯運転のための水流の程度を設定し、前記設定手段によって設定される前記水流の程度は、標準的な水流を示す標準設定と、前記標準的な水流よりも強めの水流を示す強め設定と、前記標準的な水流よりも弱めの水量を示す弱め設定とを含んでいることが好ましい。
【００３１】
前記状態検出手段は、前記洗濯物の重量を検出する布量センサを含んでおり、前記制御手段は、前記布量センサによって検出された前記洗濯物の重量と、前記設定手段によって設定された前記水流の前記標準設定と前記強め設定と前記弱め設定とのいずれかとに基づいた水流の値に従って前記洗濯運転を実行することが好ましい。
【００３２】
前記設定手段は、前記洗濯運転のためのすすぎの回数を設定し、前記設定手段によって設定される前記すすぎの回数は、標準的なすすぎの回数を示す標準設定と、前記標準的すすぎの回数よりも多めの回数を示す多め設定と、前記標準的なすすぎの回数よりも少なめの回数を示す少なめ設定とを含んでいることが好ましい。
【００３３】
前記状態検出手段は、前記洗濯物の重量を検出する布量センサを含んでおり、前記制御手段は、前記布量センサによって検出された前記洗濯物の重量と、前記設定手段によって設定された前記すすぎの回数の前記標準設定と前記多め設定と前記少なめ設定とのいずれかとに基づいたすすぎの回数に従って前記洗濯運転を実行することが好ましい。
【００３４】
前記設定手段は、前記洗濯運転のための脱水時間の長さを設定し、前記設定手段によって設定される前記脱水時間の長さは、標準的な脱水時間を示す標準設定と、前記標準的な脱水時間よりも長めの脱水時間を示す長め設定と、前記標準的な脱水時間よりも短めの脱水時間を示す短め設定とを含んでいることが好ましい。
【００３５】
前記状態検出手段は、前記洗濯物の重量を検出する布量センサを含んでおり、前記制御手段は、前記布量センサによって検出された前記洗濯物の重量と、前記設定手段によって設定された前記脱水時間の前記標準設定と前記長め設定と前記短め設定とのいずれかとに基づいた脱水時間の値に従って前記洗濯運転を実行することが好ましい。
【００３６】
前記設定手段は、前記洗濯運転のための乾燥時間の長さを設定し、前記設定手段によって設定される前記乾燥時間の長さは、標準的な乾燥時間を示す標準設定と、前記標準的な乾燥時間よりも長めの乾燥時間を示す長め設定と、前記標準的な乾燥時間よりも短めの乾燥時間を示す短め設定とを含んでいることが好ましい。
【００３７】
前記状態検出手段は、前記洗濯物の乾燥具合を検出する乾燥センサを含んでおり、前記制御手段は、前記乾燥センサによって検出された前記洗濯物の乾燥具合と、前記設定手段によって設定された前記乾燥時間の前記標準設定と前記長め設定と前記短め設定とのいずれかとに基づいた乾燥時間の値に従って前記洗濯運転を実行することが好ましい。
【００３８】
前記設定手段は、タッチパネルによって構成されていることが好ましい。
【００３９】
本実施の形態に係る洗濯機システムにおいては、受信手段によって受信された洗濯運転の程度を示す情報と、状態検出手段によって検出された洗濯物の状態とに基づいて洗濯運転が実行される。このため、洗濯物の状態に応じた程度の洗濯運転を容易に実行することができる。
【００４０】
この実施の形態では、前記端末に設けられた前記設定手段は、タッチパネルによって構成されていることが好ましい。
【００４１】
前記端末に設けられた前記送信手段と前記洗濯機に設けられた前記受信手段とを接続するネットワークをさらに具備することが好ましい。
【００４２】
前記ネットワークは、無線によるネットワークであることが好ましい。
【００４３】
前記端末に設けられた前記送信手段と前記洗濯機に設けられた前記受信手段とは、前記洗濯運転の程度を示す情報をＥＣＨＯＮＥＴ規格に基づいて送受信することが好ましい。
【００４４】
以下、図面を参照して本発明の実施の形態を説明する。
【００４５】
（実施の形態１）
図１は実施の形態１に係る洗濯機１１０の外観を示す斜視図であり、図２は洗濯機１１０の構成を示す側面断面図であり、図３は洗濯機１１０の構成を示すブロック回路図である。
【００４６】
洗濯機１１０は、略長方体形状をした外枠２５を備えている。外枠２５の内部には、略円筒形状をした水受け槽２１が設けられている。水受け槽２１は、吊り棒２４によって外枠２５に吊り下げられている。水受け槽２１には、略円筒形状をした洗濯兼脱水槽２２が内包されている。洗濯兼脱水槽２２の底部には、攪拌翼２３が垂直方向に沿った軸の回りに回転自在に設けられている。
【００４７】
水受け槽２１には、攪拌翼２３を回転させるためのモータ２７が設けられている。モータ２７は、直流ブラシレスモータによって構成されている。モータ２７と攪拌翼２３との間には、動力切換機構２６が設けられている。動力切換機構２６は、洗濯時にはモータ２７からの駆動力を減速して攪拌翼２３へ伝達し、脱水時にはモータ２７からの駆動力を１対１で攪拌翼２３へ伝達する。
【００４８】
水受け槽２１の上には、散水用の吐出部を形成するためのカバー体２８が設けられている。水受け槽２１の上方には、給水弁３１が設けられている。給水弁３１は、洗濯兼脱水槽２２内に水を給水するために設けられている。水受け槽２１の下方には、排水弁３２が設けられている。排水弁３２は、水受け槽２１内の洗濯水を排水するために設けられている。
【００４９】
水受け槽２１の下部には、接続部３０が設けられている。水受け槽２１は、水位検知器２９が設けられている。水位検知器２９は、水受け槽２１の水位を検知するために、接続部３０における水圧を電気的な周波数に変換する。
【００５０】
モータ２７は、インバータ回路３７によって駆動される。インバータ回路３７は、６個のスイッチング素子３８Ａ〜３８Ｆを有している。各スイッチング素子３８Ａ〜３８Ｆは、パワートランジスタと逆導通ダイオードとによって構成される並列回路をそれぞれ有している。
【００５１】
洗濯機１１０は、電源４０を有している。電源４０は、ダイオードブリッジ４１とチョークコイル４２と平滑用コンデンサ４３とによって構成される直流電源変換装置を介してインバータ回路３７へ電圧を供給する。電源４０はまた、図示しないポンプと給水弁３１と排水弁３２と動力変換機構２６とへ電圧を供給する。モータ２７には、３個の位置検出器３５が設けられている。各位置検出器３５は、モータ２７の回転位置を検出する。
【００５２】
洗濯機１１０は、操作部８を備えている。操作部８には、設定部２が設けられている。設定部２は、洗濯物を洗濯するための洗濯運転の程度を設定するために設けられている。操作部８は、表示部５を有している。表示部５は、洗濯物を洗濯するための洗濯運転の複数個の程度を表示する。操作部８には、選択部１が設けられている。選択部１は、表示部５に表示された洗濯運転の複数個の程度の１つを選択する。設定部２は、選択部１によって選択された洗濯運転の複数個の程度の１つを設定する。
【００５３】
洗濯機１１０は、布量センサ６１を備えている。布量センサ６１は、洗濯機１１０が洗濯しようとする洗濯物の重量を検出する。洗濯機１１０には、乾燥センサ６２が設けられている。乾燥センサ６２は、洗濯機１１０が乾燥しようとする洗濯物の乾燥具合を検出する。
【００５４】
洗濯機１１０は、制御部３を備えている。制御部３には、回転制御部３４が設けられている。回転制御部３４は、設定部２によって設定された洗濯運転の程度と、布量センサ６１によって検出された洗濯物の重量と、乾燥センサ６２によって検出された洗濯物の乾燥具合と、各位置検出器３５によって検出されたモータ２７の回転位置と、水位検知器２９によって検知された水受け槽２１の水位とに基づいて駆動回路３６を制御する。駆動回路３６は、回転制御部３４からの指示に基づいてインバータ回路３７を駆動する。
【００５５】
図示しないポンプと給水弁３１と排水弁３２と動力変換機構２６とは、負荷駆動部３３に接続されている。負荷駆動部３３は、制御部３からの指示に基づいて、図示しないポンプと給水弁３１と排水弁３２と動力変換機構２６とをそれぞれ駆動する。
【００５６】
このように構成された洗濯機１１０の動作を説明する。図４は実施の形態１に係る洗濯機１１０の動作を示すフローチャートであり、図５は洗濯機１１０に設けられた操作部８におけるコース選択画面を示す図である。
【００５７】
まず、初期状態において図５に示すコース選択画面が操作部８の表示部５に表示される。そして、コース選択画面に表示された特別運転コース７１を洗濯すると（ステップＳ２）、図６に示す特別運転コース一覧画面が表示部５に表示される。図６に示す例では、水量はちょっと多めに設定されており、洗い時間は２０分に設定されており、水流は標準に設定されている。すすぎは、ため３回に設定されており、脱水時間は２０分に設定されており、乾燥は干す前に設定されている。次に、特別運転コースの設定を変更するか否かを判断する（ステップＳ３）。
【００５８】
特別運転コースの設定を変更するときの（ステップＳ３においてＹＥＳ）動作を説明する。まず、水量を設定する動作を説明する。図７は水量設定動作を示すフローチャートであり、図８は水量自動設定画面を示す図であり、図９は水量手動設定画面を示す図である。
【００５９】
図６に示す特別運転コース一覧画面において水量ボタンを選択すると、図８に示す水量自動設定画面が表示される。そして、水量を手動設定するか否かを判断する（ステップＳ２１）。水量を手動設定せず自動設定するときは（ステップＳ２１においてＮＯ）、図８に示す水量自動設定画面において水量の設定を変更するか否かを判断する（ステップＳ２３）。水量の設定を変更するときは（ステップＳ２３においてＹＥＳ）、図８に示す水量自動設定画面において多めとちょっと多めと標準とのいずれかの水量の程度を選択して設定する（ステップＳ２４，ステップＳ２５およびステップＳ２６）。次に、確定ボタンを選択するとステップＳ２１へ戻る。水量の設定を変更しないときは（ステップＳ２３においてＮＯ）水量設定を終了する。
【００６０】
水量を手動設定するときは（ステップＳ２１においてＹＥＳ）、図８に示す水量自動設定画面において手動設定ボタンを選択する。すると、図９に示す水量手動設定画面が表示部５に表示される。そして、水量を手動で設定するか否かを判断する（ステップＳ２７）。水量を手動で設定するときは（ステップＳ２７においてＹＥＳ）、２２Ｌ、３６Ｌ、３８Ｌ、４３Ｌ、４５Ｌ、４９Ｌ、５１Ｌ、５４Ｌ、５７Ｌおよび６７Ｌの１０段階の水量のうちの１つを図９に示す水量手動設定画面において設定する（ステップＳ２８、ステップＳ２９、…、ステップＳ３０）。その後、確定ボタンを選択するとステップＳ２１へ戻る。水量を手動で設定しないときは水量設定を終了する。
【００６１】
次に、洗い時間を設定する動作を説明する。図１０は洗い時間設定動作を示すフローチャートであり、図１１は洗い時間自動設定画面を示す図であり、図１２は洗い時間手動設定画面を示す図である。
【００６２】
図６に示す特別運転コース一覧画面において洗いボタンを選択すると、図１１に示す洗い時間自動設定画面が表示される。そして、洗い時間を手動設定するか否かを判断する（ステップＳ３１）。洗い時間を手動設定せず自動設定するときは（ステップＳ３１においてＮＯ）、図１１に示す洗い時間自動設定画面において洗い時間の設定を変更するか否かを判断する（ステップＳ３２）。洗い時間の設定を変更するときは（ステップＳ３２においてＹＥＳ）、図１１に示す洗い時間自動設定画面において長めと標準と短めとのいずれかの洗い時間の程度を選択して設定する（ステップＳ３３，ステップＳ３４およびステップＳ３５）。次に、確定ボタンを選択するとステップＳ３１へ戻る。洗い時間の設定を変更しないときは（ステップＳ３２においてＮＯ）洗い時間設定を終了する。
【００６３】
洗い時間を手動設定するときは（ステップＳ３１においてＹＥＳ）、図１１に示す洗い時間自動設定画面において手動設定ボタンを選択する。すると、図１２に示す洗い時間手動設定画面が表示部５に表示される。そして、洗い時間を手動で設定するか否かを判断する（ステップＳ３６）。洗い時間を手動で設定するときは（ステップＳ３６においてＹＥＳ）、１分以上２０分以下の範囲において１分単位で図１２に示す洗い時間手動設定画面において洗い時間を手動で設定する（ステップＳ３７、ステップＳ３８、…、ステップＳ３９）。その後、確定ボタンを選択するとステップＳ３１へ戻る。洗い時間を手動で設定しないときは水量設定を終了する。
【００６４】
次に、水流を設定する動作を説明する。図１３は水流設定動作を示すフローチャートであり、図１４は水流自動設定画面を示す図である。
【００６５】
図６に示す特別運転コース一覧画面において水流ボタンを選択すると、図１４に示す水流自動設定画面が表示される。そして、図１４に示す水流自動設定画面において水流の程度の設定を変更するか否かを判断する（ステップＳ４１）。水流の程度の設定を変更するときは（ステップＳ４１においてＹＥＳ）、図１４に示す水流自動設定画面において強めと標準と弱めとのいずれかの水流の程度を選択して設定する（ステップＳ４２，ステップＳ４３およびステップＳ４４）。次に、確定ボタンを選択するとステップＳ４１へ戻る。水流の程度の設定を変更しないときは（ステップＳ４１においてＮＯ）水流設定を終了する。
【００６６】
次に、すすぎ運転を設定する動作を説明する。図１５はすすぎ運転設定動作を示すフローチャートであり、図１６はすすぎ運転自動設定画面を示す図であり、図１７はすすぎ運転手動設定画面を示す図である。
【００６７】
図６に示す特別運転コース一覧画面においてすすぎボタンを選択すると、図１６に示すすすぎ回数自動設定画面が表示される。そして、すすぎ回数を手動設定するか否かを判断する（ステップＳ５１）。すすぎ回数を手動設定せず自動設定するときは（ステップＳ５１においてＮＯ）、図１６に示すすすぎ回数自動設定画面においてすすぎ回数の設定を変更するか否かを判断する（ステップＳ５２）。すすぎ回数の設定を変更するときは（ステップＳ５２においてＹＥＳ）、図１６に示すすすぎ回数自動設定画面において多めと標準と少なめとのいずれかのすすぎ回数の程度を選択して設定する（ステップＳ５３，ステップＳ５４およびステップＳ５５）。次に、確定ボタンを選択するとステップＳ５１へ戻る。すすぎ回数の設定を変更しないときは（ステップＳ５２においてＮＯ）すすぎ回数設定を終了する。
【００６８】
すすぎ回数を手動設定するときは（ステップＳ５１においてＹＥＳ）、図１６に示すすすぎ回数自動設定画面において手動設定ボタンを選択する。すると、図１７に示すすすぎ回数手動設定画面が表示部５に表示される。そして、すすぎ回数を手動で設定するか否かを判断する（ステップＳ５６）。すすぎ回数を手動で設定するときは（ステップＳ５６においてＹＥＳ）、ため入力と注水入力とのいずれかを選択し、１回以上５回以下の範囲において図１７に示すすすぎ回数手動設定画面においてすすぎ回数を手動で設定する（ステップＳ５７、ステップＳ５８、…、ステップＳ５９）。その後、確定ボタンを選択するとステップＳ５１へ戻る。すすぎ回数を手動で設定しないときは（ステップＳ５６においてＮＯ）すすぎ回数設定を終了する。
【００６９】
次に、脱水時間を設定する動作を説明する。図１８は脱水時間設定動作を示すフローチャートであり、図１９は脱水時間自動設定画面を示す図であり、図２０は脱水時間手動設定画面を示す図である。
【００７０】
図６に示す特別運転コース一覧画面において脱水ボタンを選択すると、図１９に示す脱水時間自動設定画面が表示される。そして、脱水時間を手動設定するか否かを判断する（ステップＳ６１）。脱水時間を手動設定せず自動設定するときは（ステップＳ６１においてＮＯ）、図１９に示す脱水時間自動設定画面において脱水時間の設定を変更するか否かを判断する（ステップＳ６２）。脱水時間の設定を変更するときは（ステップＳ６２においてＹＥＳ）、図１９に示す脱水時間自動設定画面において長めと標準と短めとのいずれかの脱水時間の程度を選択して設定する（ステップＳ６３，ステップＳ６４およびステップＳ６５）。次に、確定ボタンを選択するとステップＳ６１へ戻る。脱水時間の設定を変更しないときは（ステップＳ６２においてＮＯ）脱水時間設定を終了する。
【００７１】
脱水時間を手動設定するときは（ステップＳ６１においてＹＥＳ）、図１９に示す脱水時間自動設定画面において手動設定ボタンを選択する。すると、図２０に示す脱水時間手動設定画面が表示部５に表示される。そして、脱水時間を手動で設定するか否かを判断する（ステップＳ６６）。脱水時間を手動で設定するときは（ステップＳ６６においてＹＥＳ）、１分以上２０分以下の範囲において１分単位で図２０に示す脱水時間手動設定画面において脱水時間を手動で設定する（ステップＳ６７、ステップＳ６８、…、ステップＳ６９）。その後、確定ボタンを選択するとステップＳ６１へ戻る。脱水時間を手動で設定しないときは脱水時間設定を終了する。
【００７２】
次に、乾燥時間を設定する動作を説明する。図２１は乾燥時間設定動作を示すフローチャートであり、図２２は乾燥時間自動設定画面を示す図であり、図２３は乾燥時間手動設定画面を示す図である。
【００７３】
図６に示す特別運転コース一覧画面において乾燥ボタンを選択すると、図２２に示す乾燥時間自動設定画面が表示される。そして、乾燥時間を手動設定するか否かを判断する（ステップＳ７１）。乾燥時間を手動設定せず自動設定するときは（ステップＳ７１においてＮＯ）、図２２に示す乾燥時間自動設定画面において乾燥時間の設定を変更するか否かを判断する（ステップＳ７２）。乾燥時間の設定を変更するときは（ステップＳ７２においてＹＥＳ）、図２２に示す乾燥時間自動設定画面において長めと標準と短めとのいずれかの乾燥時間の程度を選択して設定する（ステップＳ７３，ステップＳ７４およびステップＳ７５）。次に、確定ボタンを選択するとステップＳ７１へ戻る。乾燥時間の設定を変更しないときは（ステップＳ７２においてＮＯ）乾燥時間設定を終了する。
【００７４】
乾燥時間を手動設定するときは（ステップＳ７１においてＹＥＳ）、図２２に示す乾燥時間自動設定画面において手動設定ボタンを選択する。すると、図２３に示す乾燥時間手動設定画面が表示部５に表示される。そして、乾燥時間を手動で設定するか否かを判断する（ステップＳ７６）。乾燥時間を手動で設定するときは（ステップＳ７６においてＹＥＳ）、１０分以上４時間以下の範囲において１０分単位で図２３に示す乾燥時間手動設定画面において乾燥時間を手動で設定する（ステップＳ７７、ステップＳ７８、…、ステップＳ７９）。その後、確定ボタンを選択するとステップＳ７１へ戻る。乾燥時間を手動で設定しないときは（ステップＳ７６においてＮＯ）乾燥時間設定を終了する。
【００７５】
そして、操作部８に設けられた図示しないスタートスイッチが押されると（図４におけるステップＳ１０）制御部３は、設定された洗濯運転の程度と、布量センサによって検出された洗濯物の重量と乾燥センサによって検出された洗濯物の乾燥具合とに基づいて洗濯運転を実行する。
【００７６】
例えば、水量が標準に設定されているときは、布量センサ６１によって検出された洗濯物の重量に応じた標準的な水量によって洗濯運転が実行される。即ち、水量が標準に設定されている場合であっても、布量センサ６１によって検出された洗濯物の重量に応じて異なる水量によって洗濯運転が実行される。
【００７７】
また、水量がちょっと多めに設定されているときは、布量センサ６１によって検出された洗濯物の重量に応じた標準的な水量よりも若干多めの水量によって洗濯運転が実行される。この場合、水量がちょっと多めに設定されている場合であっても、布量センサ６１によって検出された洗濯物の重量に応じて異なる水量によって洗濯運転が実行される。
【００７８】
以上のように実施の形態１によれば、洗濯物を洗濯するための洗濯運転の程度を設定するための設定部２によって設定された洗濯運転の程度と、布量センサ６１によって検出された洗濯物の重量と乾燥センサ６２によって検出された洗濯物の乾燥具合とに基づいて洗濯運転が実行される。このため、洗濯物の状態に応じた程度の洗濯運転を容易に実行することができる。
【００７９】
（実施の形態２）
図２４は実施の形態２に係る洗濯機システム１００の外観を示す斜視図であり、図２５は洗濯機システムの構成を示すブロック図である。実施の形態１において図１および図３を参照して前述した構成要素と同一の構成要素には同一の参照符号を付している。従って、これらの構成要素の詳細な説明は省略する。
【００８０】
洗濯機システム１００は、洗濯機１１０Ｂと洗濯機１１０Ｂの運転内容を設定するための端末１２０とを備えている。端末１２０は、洗濯機１１０Ｂが洗濯物を洗濯するための洗濯運転の程度を設定するための設定部２と、設定部２によって設定された洗濯運転の程度を示す情報を送信する送信部６とを含んでいる。
【００８１】
洗濯機１１０Ｂは、洗濯物の重量を検出するための布量センサ６１と、洗濯物の乾燥具合を検出するための乾燥センサ６２と、端末１２０に設けられた送信部６によって送信された洗濯運転の程度を示す情報を受信する受信部７と、受信部７によって受信された洗濯運転の程度を示す情報と、布量センサ６１によって検出された洗濯物の重量と乾燥センサ６２によって検出された洗濯物の乾燥具合とに基づいて洗濯運転を実行するために設けられた制御部３とを有している。
【００８２】
端末１２０に設けられた表示部５Ａは、タッチパネルによって構成されており、前述した実施の形態１において表示部５に表示された画面と同様の画面が表示され、実施の形態１と同様に水流、水量、洗い時間、すすぎ回数、脱水時間および乾燥時間等の洗濯運転の程度が端末１２０に設けられた設定部２によって設定される。端末１２０に設けられた設定部２によって設定された洗濯運転の程度を表す情報は、送信部６によって、洗濯機１１０Ｂに設けられた受信部７へ送信される。そして、洗濯機１１０Ｂに設けられた制御部３は、受信部７によって受信された洗濯運転の程度を示す情報と、布量センサ６１によって検出された洗濯物の重量と乾燥センサ６２によって検出された洗濯物の乾燥具合とに基づいて洗濯運転を実行する。従って、実施の形態２によれば、前述した実施の形態１と同様の効果を得ることができる。
【産業上の利用可能性】
【００８３】
本発明は、洗濯物を洗濯するための洗濯機に適用することができる。
【図面の簡単な説明】
【００８４】
【図１】実施の形態１に係る洗濯機の外観を示す斜視図
【図２】実施の形態１に係る洗濯機の構成を示す断面図
【図３】実施の形態１に係る洗濯機の構成を示すブロック図
【図４】実施の形態１に係る洗濯機の動作を示すフローチャート
【図５】実施の形態１に係る洗濯機に設けられた操作部におけるコース選択画面を示す図
【図６】実施の形態１に係る洗濯機に設けられた操作部における特別運転コース一覧画面を示す図
【図７】実施の形態１に係る洗濯機の水量設定動作を示すフローチャート
【図８】実施の形態１に係る洗濯機に設けられた操作部における水量自動設定画面を示す図
【図９】実施の形態１に係る洗濯機に設けられた操作部における水量手動設定画面を示す図
【図１０】実施の形態１に係る洗濯機の洗い時間設定動作を示すフローチャート
【図１１】実施の形態１に係る洗濯機に設けられた操作部における洗い時間自動設定画面を示す図
【図１２】実施の形態１に係る洗濯機に設けられた操作部における洗い時間手動設定画面を示す図
【図１３】実施の形態１に係る洗濯機の水流設定動作を示すフローチャート
【図１４】実施の形態１に係る洗濯機に設けられた操作部における水流設定画面を示す図
【図１５】実施の形態１に係る洗濯機のすすぎ回数設定動作を示すフローチャート
【図１６】実施の形態１に係る洗濯機に設けられた操作部におけるすすぎ回数自動設定画面を示す図
【図１７】実施の形態１に係る洗濯機に設けられた操作部におけるすすぎ回数手動設定画面を示す図
【図１８】実施の形態１に係る洗濯機の脱水時間設定動作を示すフローチャート
【図１９】実施の形態１に係る洗濯機に設けられた操作部における脱水時間自動設定画面を示す図
【図２０】実施の形態１に係る洗濯機に設けられた操作部における脱水時間手動設定画面を示す図
【図２１】実施の形態１に係る洗濯機の乾燥時間設定動作を示すフローチャート
【図２２】実施の形態１に係る洗濯機に設けられた操作部における乾燥時間自動設定画面を示す図
【図２３】実施の形態１に係る洗濯機に設けられた操作部における乾燥時間手動設定画面を示す図
【図２４】実施の形態２に係る洗濯機システムの外観を示す斜視図
【図２５】実施の形態２に係る洗濯機システムの構成を示すブロック図
【図２６】従来の洗濯機の構成を示す断面図
【図２７】従来の洗濯機の構成を示すブロック図
【図２８】従来の洗濯機に設けられた操作部の構成を示す正面図
【符号の説明】
【００８５】
２  設定部
３  制御部
６  送信部
７  受信部
８  操作部
６１  布量センサ
６２  乾燥センサ
１００  洗濯機システム
１１０  洗濯機
１２０  端末
【図１】
2005034413.tif 000003
【図２】
2005034413.tif 000004
【図３】
2005034413.tif 000005
【図４】
2005034413.tif 000006
【図５】
2005034413.tif 000007
【図６】
2005034413.tif 000008
【図７】
2005034413.tif 000009
【図８】
2005034413.tif 000010
【図９】
2005034413.tif 000011
【図１０】
2005034413.tif 000012
【図１１】
2005034413.tif 000013
【図１２】
2005034413.tif 000014
【図１３】
2005034413.tif 000015
【図１４】
2005034413.tif 000016
【図１５】
2005034413.tif 000017
【図１６】
2005034413.tif 000018
【図１７】
2005034413.tif 000019
【図１８】
2005034413.tif 000020
【図１９】
2005034413.tif 000021
【図２０】
2005034413.tif 000022
【図２１】
2005034413.tif 000023
【図２２】
2005034413.tif 000024
【図２３】
2005034413.tif 000025
【図２４】
2005034413.tif 000026
【図２５】
2005034413.tif 000027
【図２６】
2005034413.tif 000028
【図２７】
2005034413.tif 000029
【図２８】
2005034413.tif 000030